(57)【要約】  【課題】  ディスプレイ本体と台座からなる薄型表示装置をテレビ台に設置する際に、設置したい場所に最初から設置でき、設置作業のための広いスペースが不要で、作業工程が少なく短時間で設置できるようにしたこと。  【解決手段】  薄型表示装置はディスプレイ本体１０と、このディスプレイ本体１０に取付けられる台座２０からなり、ディスプレイ本体１０は下部に有する凹部１１とこの凹部１１の両側に凸状のレール部１２を備え、台座２０はレール部１２に対応する位置に凹状のレール受部２１を設けており、ディスプレイ本体１０の前面から凹部１１に台座２０を挿入できるようにした。また、台座２０の上面にラッチ部２２を設け、ディスプレイ本体１０の前面から台座２０を挿入したとき、ディスプレイ本体１０の背面がラッチ部２２で係止されるようにした。  【選択図】  図１
2008141430.tif 000002
【特許請求の範囲】
【請求項１】
ディスプレイ本体と、同ディスプレイ本体に取付けられる台座からなる薄型表示装置において、前記ディスプレイ本体は下部に有する凹部と同凹部の両側に凸状のレール部を備え、前記台座は前記レール部に対応する位置に凹状のレール受部を設け、前記ディスプレイ本体の前面から前記凹部に前記台座を挿入してなることを特徴とする薄型表示装置。
【請求項２】
前記台座の上面にラッチ部を設け、前記ディスプレイ本体の前面から前記台座を挿入したとき、前記ディスプレイ本体の背面が前記ラッチ部で係止されることを特徴とする請求項１記載の薄型表示装置。
【請求項３】
前記台座の上面先端側に支持部材を設け、前記ディスプレイ本体の背面に係止部を設け、前記ディスプレイ本体の前面から前記台座を挿入したとき、前記支持部材と前記係止部で前記ディスプレイ本体が支持されることを特徴とする請求項１または請求項２記載の薄型表示装置。
【請求項４】
ディスプレイ本体と、同ディスプレイ本体に取付けられる台座からなる薄型表示装置において、前記ディスプレイ本体は下部前面側と背面側に凸状のレール部を備え、前記台座は前記レール部に対応する位置に凹状のレール受部を設け、前記ディスプレイ本体の両側面から前記レール部に向けて前記台座を挿入してなることを特徴する薄型表示装置。
【請求項５】
ディスプレイ本体と、同ディスプレイ本体に取付けられる台座からなる薄型表示装置において、前記ディスプレイ本体は下部に有する凹部と同凹部の両側に突出部を備え、前記台座は前記突出部に対応する位置に凹み部を有し、両側方向に伸縮させる付勢手段を設け、前記ディスプレイ本体の前面から前記凹部に内側に縮めた状態で前記台座を挿入し、前記付勢手段で外側に伸ばした状態で前記突出部と前記凹み部が係合されることを特徴する薄型表示装置。
【発明の詳細な説明】
【技術分野】
【０００１】
本発明は薄型表示装置に係り、液晶ディスプレイ、プラズマディスプレイ等の薄型表示装置と台座の取付構造に関する。
【背景技術】
【０００２】
液晶ディスプレイ、プラズマディスプレイ等の薄型表示装置はディスプレイ本体に台座を取付けることにより立設して、テレビ台に設置されるようになっている。
【０００３】
従来の薄型表示装置の設置作業は、「１」作業台にディスプレイ本体を横に寝かせ、台座を取付けた後、テレビ台に設置する方法、「２」作業可能な場所に台座を置き、台座にディスプレイ本体を直接取付けた後、テレビ台に設置する方法により行われている。
【０００４】
それぞれの方法を詳細に説明すると、「１」による方法は、図７に示すように、最初に作業台８０とディスプレイ本体８１を保護する保護マット８２を用意し(1) 、開梱したディスプレイ本体８１を背面を上にして作業台８０に置く(2) 。次に、予め組立てておいた台座８３をディスプレイ本体８１にネジ止め８４により取付け(3) 、最終的に薄型表示装置を設置する場所であるテレビ台８５に配置するようになっている(4) 。
【０００５】
また、「２」による方法は、図８に示すように、最初に予め組立てておいた台座８６を作業可能な場所に置き(1) 、開梱したディスプレイ本体８７を台座８６のネジ止め８８の取付け位置に載せる(2) 。次に、ディスプレイ本体８７が倒れないように支えながら、ディスプレイ本体８７に台座８６をネジ止め８８により取付け(3) 、最終的に薄型表示装置を設置する場所であるテレビ台８９に配置するようになっている(4) 。
【０００６】
このような設置する方法を用いた薄型表示装置のディスプレイ本体と台座の取付構造を説明すると、図９（Ａ）及び図９（Ｂ）に示すように、薄型表示装置２００は映像表示パネル本体２０１と、映像表示パネル本体２０１の筐体２０３に有する開口部２０６と、映像表示パネル本体２０１を立置状態に支持する支持手段２０２とからなっている。
【０００７】
そして、開口部２０６に対応した筐体２０３の背面には４個のネジ穴２０９を備え、支持手段２０２には基台２０５から垂直方向に伸びる支柱２０７が設けられ、開口部２０６に挿通可能になっている。また、支柱２０７にはネジ先を導入する穴２１０がネジ穴２０９と同じ間隔で設けられている。
【０００８】
これまで説明してきた取付構造により、映像表示パネル本体２０１の開口部２０６に支持手段２０２の支柱２０７を挿通させ、４個のネジ２０８によりネジ穴２０９を介してネジ止めすることにより、映像表示パネル本体２０１と支持手段２０２が固定されるようになっている（特許文献１参照。）。
【０００９】
しかしながら、特許文献１では、上述した「１」や「２」の設置方法のように、設置する場所以外の場所で映像表示パネル本体２０１に支持手段１０２を取付けた後、設置する場所であるテレビ台に配置換えしなければならず、設置作業に広いスペースを要し、作業工程が多く設置時間がかかるという問題点があった。
【００１０】
また、予め映像表示パネル本体２０１の開口部２０６に支持手段２０２の支柱２０７を挿通させ、最初に映像表示パネル本体２０１の表示面を前面にしてテレビ台に設置しても、映像表示パネル本体２０１によってネジ穴２０９の部分が死角となるばかりか、映像表示パネル本体２０１の背面でのネジ止めが困難となるからである。
【特許文献１】特開２００６−１８４６３３号公報（第４頁−第５頁、第２図、第５図）
【発明の開示】
【発明が解決しようとする課題】
【００１１】
本発明は上記問題点に鑑み、ディスプレイ本体と台座からなる薄型表示装置をテレビ台に設置する際に、設置したい場所に最初から設置でき、設置作業のための広いスペースが不要で、作業工程が少なく短時間で設置できるようにした薄型表示装置を提供することを目的とする。
【課題を解決するための手段】
【００１２】
本発明は上記課題を解決するため、請求項１記載の発明は、ディスプレイ本体と、同ディスプレイ本体に取付けられる台座からなる薄型表示装置において、前記ディスプレイ本体は下部に有する凹部と同凹部の両側に凸状のレール部を備え、前記台座は前記レール部に対応する位置に凹状のレール受部を設け、前記ディスプレイ本体の前面から前記凹部に前記台座を挿入してなることを特徴とする構成となっている。
【００１３】
請求項２記載の発明は、請求項１記載の発明において、前記台座の上面にラッチ部を設け、前記ディスプレイ本体の前面から前記台座を挿入したとき、前記ディスプレイ本体の背面が前記ラッチ部で係止されることを特徴とする構成となっている。
【００１４】
請求項３記載の発明は、請求項１または請求項２記載の発明において、前記台座の上面先端側に支持部材を設け、前記ディスプレイ本体の背面に係止部を設け、前記ディスプレイ本体の前面から前記台座を挿入したとき、前記支持部材と前記係止部で前記ディスプレイ本体が支持されることを特徴とする構成となっている。
【００１５】
請求項４記載の発明は、ディスプレイ本体と、同ディスプレイ本体に取付けられる台座からなる薄型表示装置において、前記ディスプレイ本体は下部前面側と背面側に凸状のレール部を備え、前記台座は前記レール部に対応する位置に凹状のレール受部を設け、前記ディスプレイ本体の両側面から前記レール部に向けて前記台座を挿入してなることを特徴する構成となっている。
【００１６】
請求項５記載の発明は、ディスプレイ本体と、同ディスプレイ本体に取付けられる台座からなる薄型表示装置において、前記ディスプレイ本体は下部に有する凹部と同凹部の両側に突出部を備え、前記台座は前記突出部に対応する位置に凹み部を有し、両側方向に伸縮させる付勢手段を設け、前記ディスプレイ本体の前面から前記凹部に内側に縮めた状態で前記台座を挿入し、前記付勢手段で外側に伸ばした状態で前記突出部と前記凹み部が係合されることを特徴する構成となっている。
【発明の効果】
【００１７】
請求項１記載の本発明によれば、薄型表示装置をテレビ台に設置する際に、ディスプレイ本体の表示面を前面に立てた姿勢のままで、前記ディスプレイ本体の前面から前記凹部に前記台座を挿入し、台座を簡単に取付けられるようになっているため、他の場所で設置作業を行わなくてすみ、設置作業に広いスペースを必要とせず、作業工程が少なく短時間で設置できる。
【００１８】
さらに、請求項２記載の本発明によれば、前記ディスプレイ本体の背面が前記ラッチ部で係止されるようになっているため、台座が前方に抜けることがなく、ディスプレイ本体と台座を確実に固定できる。
【００１９】
さらに、請求項３記載の本発明によれば、前記支持部材と前記係止部で前記ディスプレイ本体が支持されるようになっているため、ディスプレイ本体の厚さが薄い場合でも、ディスプレイ本体の転倒を防止して、ディスプレイ本体と台座を確実に固定できる。
【００２０】
請求項４記載の本発明によれば、前記ディスプレイ本体の両側面から前記レール部に向けて左右に分割された前記台座を差込むようになっているため、請求項１記載の本発明と同様な効果を得ることができる。
【００２１】
請求項５記載の本発明によれば、前記ディスプレイ本体の前面から前記凹部に内側に縮めた状態で前記台座を挿入し、前記付勢手段で外側に伸ばした状態で前記突出部と前記凹み部が係合されるようになっているため、請求項１記載の本発明と同様な効果を得ることができる。
【発明を実施するための最良の形態】
【００２２】
以下、本発明の実施の形態を添付図面に基づき詳細に説明する。図１は本発明による薄型表示装置の第一実施例の構成を示す図で（Ａ）はディスプレイ本体と台座の分解斜視図、（Ｂ）はディスプレイ本体と台座が取付けられた状態を示す側面図、図２は本発明による薄型表示装置の設置方法を示す図、図３は本発明による薄型表示装置の第二実施例の構成を示す分解斜視図、図４は図３のディスプレイ本体に台座を挿入する工程を示す図で（Ａ）は台座の挿入初めの状態を示す側面図、（Ｂ）は台座の挿入完了の状態を示す側面図である。
【００２３】
図５は本発明による薄型表示装置の第三実施例の構成を示す分解斜視図、図６は本発明による薄型表示装置の第四実施例の構成を示す図で（Ａ）はディスプレイ本体と台座の分解斜視図、（Ｂ）はディスプレイ本体に台座を挿入する状態を示す図、（Ｃ）はディスプレイ本体と台座が取付けられた状態を示す斜視図である。
【００２４】
本発明による薄型表示装置は、図１及び図３に示すように、ディスプレイ本体１０と、このディスプレイ本体１０に取付けられる台座２０からなり、ディスプレイ本体１０は下部に有する凹部１１とこの凹部１１の両側に凸状のレール部１２を備え、台座２０はレール部１２に対応する位置に凹状のレール受部２１を設けている。そして、ディスプレイ本体１０の前面から凹部１１に台座２０を挿入してなるところを特徴としている。
【００２５】
また、本発明による薄型表示装置は、図５に示すように、ディスプレイ本体３０と、このディスプレイ本体３０に取付けられる台座４０からなり、ディスプレイ本体３０は下部前面側と背面側に凸状のレール部３１を備え、台座４０はレール部３１に対応する位置に凹状のレール受部４１を設けている。そして、ディスプレイ本体３０の両側面からレール部３１に向けて台座４０を挿入してなるところを特徴としている。
【００２６】
更に、本発明による薄型表示装置は、図６に示すように、ディスプレイ本体５０と、このディスプレイ本体５０に取付けられる台座６０からなり、ディスプレイ本体５０は下部に有する凹部５１とこの凹部５１の両側に突出部５２を備え、台座６０は突出部５２に対応する位置に有する凹み部６２と両側方向に伸縮させる付勢手段６１を設けている。そして、ディスプレイ本体５０の前面から凹部５１に内側に縮めた状態で台座６０を挿入し、付勢手段６１で外側に伸ばした状態で突出部５２と凹み部６２が係合されるところを特徴としている。
【実施例１】
【００２７】
以下、本発明の薄型表示装置の第一実施例の構成を図１及び図２を用いて具体的に説明する。薄型表示装置の構成は、図１に示すように、液晶ディスプレイ、プラズマディスプレイ等のディスプレイ本体１０は下部中央に凹部１１を有し、この凹部１１の両側に凸状のレール部１２を備えている。台座２０は凹部１１の縦横のサイズに対応する平板形状で、両側に凸状のレール部１２に対応する位置で凹状のレール受部２１を備え、上面に通常は外部に突出し上からの押圧で内部に収容される２つのラッチ部２２を設けている。また、台座２０の底面にはフェルト２４が貼着されている。さらに、台座２０の凹状のレール受部２１は先端を高く終端を低くするように段差を持たせたものとなっている。
【００２８】
このような薄型表示装置をテレビ台に設置する際、図２に示すように、最初に開梱したディスプレイ本体１０を表示面を前面にして設置予定のテレビ台７０の上に置き、支えながら(1) 、次に、台座２０をディスプレイ本体１０の前面から凹部１１に挿入する(2) 。台座２０の挿入時には、図１（Ａ）の矢印のように、レール受部２１の先端を凸状のレール部１２に位置合わせ台座２０の挿入を開始すると、レール受部２１の段差により台座２０の上面と凹部１１の間に隙間をつくり、ディスプレイ本体１０の下部がやや持ち上がり、台座２０のフェルト２４によりテレビ台７０と台座２０との接触摩擦を低減しながら台座２０を挿入する。
【００２９】
そして、レール受部２１の終端まで挿入されると、レール部１２がレール受部２１の段差に達し、ディスプレイ本体１０の凹部１１と台座２０の上面が当接して支持されるとともに、凸状のレール部１２と凹状のレール受部２１の間で支持される。一方、ラッチ部２２が凹部１１にさしかかったところで内部に収容され、レール受部２１の終端まで挿入されたところでラッチ部２２が突出し、ディスプレイ本体１０の背面がラッチ部２２で係止されるようになっている。
【００３０】
以上説明してきた薄型表示装置によれば、最初から設置したい場所に立たせたまま、ディスプレイ本体１０の前面から凹部１１に台座２０を挿入する構造となっているので、他の場所で設置作業を行わずに、設置作業に広いスペースが不要で、作業工程が少なく短時間で設置できる。また、ディスプレイ本体１０の背面がラッチ部２２で係止されるようになっているため、台座２０が前方に抜けることがなく、ディスプレイ本体１０と台座２０を確実に固定できる。
【実施例２】
【００３１】
以下、本発明の薄型表示装置の第二実施例の構成を図２乃至図４を用いて具体的に説明する。なお、第一実施例の構成と同一の構成要素については同一符号を付して説明する。薄型表示装置の構成は、図３に示すように、液晶ディスプレイ、プラズマディスプレイ等のディスプレイ本体１０は下部中央に凹部１１を有し、この凹部１１の両側に凸状のレール部１２を備えている。台座２０は凹部１１の縦横のサイズに対応するコ字状の平板形状で、両側に凸状のレール部１２に対応する位置で凹状のレール受部２１を備え、上面に通常は外部に突出し上からの押圧で内部に収容される２つのラッチ部２２を設けている。
【００３２】
台座２０の上面先端側には図示を省略したバネにより前方に付勢され後方に回動可能になっている支持部材２３を設け、支持部材２３の先端はフック状に折り曲がっている。ディスプレイ本体１０の背面にはこの支持部材２３を係止する係止部１３を設けている。また、台座２０の底面にはフェルト２４が貼着されている。さらに、台座２０の凹状のレール受部２１は先端を高く終端を低くするように段差を持たせたものとなっている。
【００３３】
このような薄型表示装置をテレビ台に設置する際、図２に示すように、最初に開梱したディスプレイ本体１０を表示面を前面にして設置予定のテレビ台７０の上に置き、支えながら(1) 、次に、台座２０をディスプレイ本体１０の前面から凹部１１に挿入する(2) 。台座２０の挿入時には、図４（Ａ）に示すように、支持部材２３を後方に倒した状態にした後、レール受部２１の先端を凸状のレール部１２に位置合わせし、矢印のように台座２０の挿入を開始し、レール受部２１の段差により台座２０の上面と凹部１１の間に隙間をつくり、ディスプレイ本体１０の下部がやや持ち上がり、台座２０のフェルト２４によりテレビ台７０と台座２０との接触摩擦を低減しながら台座２０を挿入する。
【００３４】
このとき、支持部材２３は矢印のように、バネの付勢によりディスプレイ本体１０の背面に当接しながら回動する。そして、図４（Ｂ）に示すように、レール受部２１の終端まで挿入されると、ディスプレイ本体１０の凹部１１と台座２０の上面が当接して支持されるとともに、凸状のレール部１２と凹状のレール受部２１の間で支持される。このとき、支持部材２３のフック状の先端が係止部１３に引っかかることで係止される。一方、ラッチ部２２は凹部１１にさしかかったところで内部に収容され、図４（Ｂ）に示すように、レール受部２１の終端まで挿入されたところでラッチ部２２が突出し、ディスプレイ本体１０の背面がラッチ部２２で係止されるようになっている。
【００３５】
以上説明してきた薄型表示装置によれば、最初から設置したい場所に立たせたまま、ディスプレイ本体１０の前面から凹部１１に台座２０を挿入する構造となっているので、他の場所で設置作業を行わずに、設置作業に広いスペースが不要で、作業工程が少なく短時間で設置できる。また、ディスプレイ本体１０の背面がラッチ部２２で係止されるようになっているため、台座２０が前方に抜けることがなく、ディスプレイ本体１０と台座２０を確実に固定できる。さらに、支持部材２３と係止部１３でディスプレイ本体１０が支持されるようになっているため、ディスプレイ本体１０の厚さが薄い場合でも、ディスプレイ本体１０の転倒を防止して、ディスプレイ本体１０と台座２０を確実に固定できる。
【実施例３】
【００３６】
以下、本発明の薄型表示装置の第三実施例の構成を図２と、図５を用いて具体的に説明する。薄型表示装置の構成は、図５に示すように、液晶ディスプレイ、プラズマディスプレイ等のディスプレイ本体３０は下部両側に凸状のレール部３１を有し、この凸状のレール部３１はディスプレイ本体３０の前面および背面に設けられている。台座４０は２つあり、ディスプレイ本体３０の奥行きの長さに対応する凹みを中央に有し、この凹みに連なる平板形状になっており、凹みの両側に凸状のレール部３１に対応する位置で凹状のレール受部４１を備えている。また、凹状のレール受部４１は先端と終端を有している。さらに、台座４０の底面にはフェルト４２が貼着されている。
【００３７】
このような薄型表示装置をテレビ台に設置する際、図２に示すように、最初に開梱したディスプレイ本体３０を表示面を前面にして設置予定のテレビ台７０の上に置き、支えながら、次に、図示を省略した台座４０をディスプレイ本体３０の両側面から凸状のレール部３１に向けて挿入する。台座２０の挿入時には、図５の矢印のように、レール受部４１の先端を凸状のレール部３１に位置合わせし台座４０の挿入を開始し、台座４０のフェルト４２によりテレビ台７０と台座４０との接触摩擦を低減しながら台座４０を挿入する。そして、レール受部４１の終端まで挿入されると、ディスプレイ本体３０が凸状のレール部１２と凹状のレール受部２１の間で支持される。
【００３８】
以上説明してきた薄型表示装置によれば、最初から設置したい場所に立たせたまま、ディスプレイ本体３０の両側面から凸状のレール部３１に向けて台座４０を挿入する構造となっているので、他の場所で設置作業を行わずに、設置作業に広いスペースが不要で、作業工程が少なく短時間で設置できる。
【実施例４】
【００３９】
以下、本発明の薄型表示装置の第四実施例の構成を図２と図６を用いて具体的に説明する。薄型表示装置の構成は、図６（Ａ）に示すように、液晶ディスプレイ、プラズマディスプレイ等のディスプレイ本体５０は下部中央に凹部５１を有し、この凹部５１の両側に突出部５２を備えている。台座６０は凹部５２の縦横のサイズに対応するコ字状の平板形状で、両側に突出部５２に対応する位置で凹み部６２を備え、中央に両側方向に伸縮させるバネからなる付勢手段６１を設けている。また、台座６０の底面にはフェルト６３が貼着されている。
【００４０】
このような薄型表示装置をテレビ台に設置する際、図２に示すように、最初に開梱したディスプレイ本体５０を表示面を前面にして設置予定のテレビ台７０の上に置き、支えながら(1) 、次に、台座６０をディスプレイ本体５０の前面から凹部５１に挿入する(2) 。台座６０の挿入時には、図６（Ｂ）に示すように、手に持った台座６０を内側に縮めた状態にした後、台座６０を凹部５１に位置合わせし、矢印のように台座６０の挿入を開始し、台座６０のフェルト６３によりテレビ台７０と台座６０との接触摩擦を低減しながら台座６０を挿入する。
【００４１】
そして、図６（Ｃ）に示すように、台座６０は凹部５１に凹み部６２がさしかかったところまで挿入したところで、台座６０を付勢手段６１で外側に伸ばした状態にし、突出部５２と凹み部６２が係合されるようになっている。
【００４２】
以上説明してきた薄型表示装置によれば、最初から設置したい場所に立たせたまま、ディスプレイ本体５０の前面から凹部５１に台座６０を挿入する構造となっているので、他の場所で設置作業を行わずに、設置作業に広いスペースが不要で、作業工程が少なく短時間で設置できる。
【００４３】
なお、以上説明してきた薄型表示装置の第一実施例乃至第四実施例では、台座を平板形状またはコ字状の平板形状としているが、本発明はこれに限らず、ディスプレイ本体の凹部に対応する形状であればよい。
【図面の簡単な説明】
【００４４】
【図１】本発明による薄型表示装置の第一実施例の構成を示す図で（Ａ）はディスプレイ本体と台座の分解斜視図、（Ｂ）はディスプレイ本体と台座が取付けられた状態を示す側面図である。
【図２】本発明による薄型表示装置の設置方法を示す図である。
【図３】本発明による薄型表示装置の第二実施例の構成を示す分解斜視図である。
【図４】図３のディスプレイ本体に台座を挿入する工程を示す図で（Ａ）は台座の挿入初めの状態を示す側面図、（Ｂ）は台座の挿入完了の状態を示す側面図である。
【図５】本発明による薄型表示装置の第三実施例の構成を示す分解斜視図である。
【図６】本発明による薄型表示装置の第四実施例の構成を示す図で（Ａ）はディスプレイ本体と台座の分解斜視図、（Ｂ）はディスプレイ本体に台座を挿入する状態を示す図、（Ｃ）はディスプレイ本体と台座が取付けられた状態を示す斜視図である。
【図７】従来の薄型表示装置の第一の設置方法を示す図である。
【図８】従来の薄型表示装置の第二の設置方法を示す図である。
【図９】従来の薄型表示装置の構成を示す図で（Ａ）は背面図、（Ｂ）は分解斜視図である。
【符号の説明】
【００４５】
１０  ディスプレイ本体
１１  凹部
１２  レール部
１３  係止部
２０  台座
２１  レール受部
２２  ラッチ部
２３  支持部材
２４  フェルト
３０  ディスプレイ本体
３１  レール部
４０  台座
４１  レール受部
４２  フェルト
５０  ディスプレイ本体
５１  凹部
５２  突出部
６０  台座
６１  付勢手段
６２  凹み部
６３  フェルト
７０  テレビ台
【図１】
2008141430.tif 000003
【図２】
2008141430.tif 000004
【図３】
2008141430.tif 000005
【図４】
2008141430.tif 000006
【図５】
2008141430.tif 000007
【図６】
2008141430.tif 000008
【図７】
2008141430.tif 000009
【図８】
2008141430.tif 000010
【図９】
2008141430.tif 000011